(57)【要約】【課題】空洞部と部品収容部とを容易に判別することができ、部品を部品収容部に挿入する際の作業性を向上させることができる電気接続箱を提供する。【解決手段】電気接続箱は、上面１ａ側にリレーやヒューズ等の電子部品が装着され、下面１ｂ側からバスバ及び端子金具が挿入されるカセットブロック１を有している。カセットブロック１の下面１ｂ側には、バスバが挿入されるバスバ収容部と、端子金具が挿入される端子金具収容部３と、これらバスバ収容部及び端子金具収容部３に隣接し、何れの部品も挿入されない空洞部４と、が設けられている。また、一部の空洞部４の下端は、バスバ収容部及び端子金具収容部３の下端よりも１〜２ｍｍ上面１ａ側に位置している。【選択図】図２
2014099977.tif 000002
【特許請求の範囲】
【請求項１】
上面側に電子部品が装着され、下面側からバスバまたは端子金具が挿入されるフレームを有する電気接続箱において、
前記フレームの前記下面側には、前記バスバまたは前記端子金具が挿入される部品収容部と、該部品収容部に隣接し、何れの部品も挿入されない空洞部と、が設けられており、
前記空洞部の少なくとも一部の下端が前記部品収容部の下端よりも１〜５ｍｍ前記上面側に位置している
ことを特徴とする電気接続箱。
【発明の詳細な説明】
【技術分野】
【０００１】
本発明は、自動車などに搭載される電気接続箱に関するものである。
【背景技術】
【０００２】
図４は、従来の電気接続箱の分解図である（特許文献１を参照。）。同図に示す電気接続箱２０１は、箱本体２０２と、箱本体２０２に取り付けられるカセットブロック２０３Ａ，２０３Ｂと、箱本体２０２の開口部２０２ｂを覆うアッパカバー（不図示）と、箱本体２０２の開口部２０２ａを覆うロアカバー（不図示）と、を備えている。なお、図４に示す電気接続箱２０１は、実際に自動車に搭載される向きと上下反対向きになっている。
【０００３】
上記カセットブロック２０３Ａ，２０３Ｂは、合成樹脂で構成され、外形がブロック状に形成されている。カセットブロック２０３Ａ，２０３Ｂの上面２０３ａ側にはヒューズやリレー等の電子部品が装着される。カセットブロック２０３Ａ，２０３Ｂの下面２０３ｂ側には、電線２０８の端末に取り付けられた端子金具が挿入される端子金具収容部２３１（部品収容部）と、バスバが挿入されるバスバ収容部（部品収容部）と、何れの部品も挿入されない空洞部と、が設けられている。これら端子金具収容部２３１、バスバ収容部、空洞部は、それぞれの下端が同じ高さに揃えられている。なお、カセットブロック２０３Ａに接続された電線２０８は一部のみを図示しており、カセットブロック２０３Ｂに接続された電線２０８は図示を省略している。
【先行技術文献】
【特許文献】
【０００４】
【特許文献１】特開２０１１−１５４６７号公報
【発明の概要】
【発明が解決しようとする課題】
【０００５】
しかしながら、上述した電気接続箱２０１においては、端子金具収容部２３１、バスバ収容部、空洞部の下端が同じ高さに揃えられているので、端子金具収容部２３１及びバスバ収容部と空洞部とが見分けにくく、部品を挿入する際の作業性が低いという問題があった。特に、端子金具収容部２３１の挿入間口と空洞部の開口部は、大きさが似ていることから端子金具を空洞部に挿入してしまうおそれがあるという問題があった。
【０００６】
したがって、本発明は、空洞部と部品収容部とを容易に判別することができ、部品を部品収容部に挿入する際の作業性を向上させることができる電気接続箱を提供することを目的とする。
【課題を解決するための手段】
【０００７】
上記目的を達成するために請求項１に記載された発明は、上面側に電子部品が装着され、下面側からバスバまたは端子金具が挿入されるフレームを有する電気接続箱において、前記フレームの前記下面側には、前記バスバまたは前記端子金具が挿入される部品収容部と、該部品収容部に隣接し、何れの部品も挿入されない空洞部と、が設けられており、前記空洞部の少なくとも一部の下端が前記部品収容部の下端よりも１〜５ｍｍ前記上面側に位置していることを特徴とする電気接続箱である。
【発明の効果】
【０００８】
請求項１に記載された発明によれば、前記空洞部の少なくとも一部の下端が前記部品収容部の下端よりも１〜５ｍｍ前記上面側に位置しているので、空洞部と部品収容部とを容易に判別することができ、バスバ及び端子金具を部品収容部に挿入する際の作業性を向上させることができる。
【図面の簡単な説明】
【０００９】
【図１】本発明の一実施形態にかかる電気接続箱のフレームを示す斜視図である。
【図２】図１中のＡ−Ａ線に沿った断面図である。
【図３】図１に示されたフレームの構成を説明する説明図である。
【図４】従来の電気接続箱の分解図である。
【発明を実施するための形態】
【００１０】
本発明の一実施形態にかかる「電気接続箱」を図１〜３を参照して説明する。本発明の電気接続箱は、自動車に搭載されて、前記自動車に搭載された電子機器に対して電力供給及び信号伝達を行うものである。また、本発明では、ジャンクションブロック（ジャンクションボックスとも言う。）、ヒューズブロック（ヒューズボックスとも言う。）、リレーブロック（リレーボックスとも言う。）を総称して、以下電気接続箱と呼ぶ。
【００１１】
上記電気接続箱は、図１に示す合成樹脂製のカセットブロック１と、該カセットブロック１が収容される合成樹脂製のケース本体（不図示）と、を有している。また、カセットブロック１とケース本体とで請求項の「フレーム」を構成している。
【００１２】
上記カセットブロック１は、上面１ａ側にリレーやヒューズ等の電子部品が装着され、下面１ｂ側からバスバ及び端子金具が挿入される。前記バスバは、金属板にプレス加工等が施されて得られる配線部材である。前記端子金具は、電線の端末に取り付けられている。カセットブロック１の下面１ｂ側には、バスバが挿入されるバスバ収容部２（請求項の「部品収容部」に相当する。）と、端子金具が挿入される端子金具収容部３（請求項の「部品収容部」に相当する。）と、これらバスバ収容部２及び端子金具収容部３に隣接し、何れの部品も挿入されない空洞部４と、前記バスバ及びバスバに接続された入力電源線が挿入される挿入部６と、が設けられている。また、カセットブロック１の側面には、前記ケース本体に係止する係止部１０が設けられている。
【００１３】
上記バスバ収容部２は、バスバを収容可能な溝状に形成されている。上記端子金具収容部３は、端子金具を収容可能な四角筒状に形成されている。これらバスバ収容部２及び端子金具収容部３の下端は、同じ高さに揃えられている。上記挿入部６は、四角筒状に形成されており、バスバ収容部２に隣接している。挿入部６の下端は、バスバ収容部２及び端子金具収容部３の下端よりも１０ｍｍ程度突出している。
【００１４】
上記空洞部４は、バスバ収容部２を構成する壁の外面、端子金具収容部３を構成する壁の外面、カセットブロック１の外壁、隣接する空洞部４間を仕切った隔壁５等により筒状に形成されている。前記隔壁５は、カセットブロック１の剛性を高くするために設けられている。また、図３中の網掛け部Ｂ及び斜線部Ｃに設けられているものが空洞部４である。
【００１５】
また、複数の空洞部４のうち、図３中の網掛け部Ｂに位置する空洞部４の下端は、バスバ収容部２及び端子金具収容部３の下端よりも１〜２ｍｍ上面１ａ側に位置している。また、複数の空洞部４のうち、図３中の斜線部Ｃに位置する空洞部４の下端は、バスバ収容部２及び端子金具収容部３の下端と同じ高さに揃えられている。前記網掛け部Ｂに位置する「空洞部４の下端」とは、該網掛け部Ｂに位置する隔壁５の下端５ａである。図２に示すように、前記隔壁５の下端５ａは、隣接する端子金具収容部３の下端３ａよりも寸法ｈ、上面１ａ側に位置している。前記寸法ｈは、本実施形態では前述したように１〜２ｍｍである。
【００１６】
この「寸法ｈ」は、バスバ収容部２及び端子金具収容部３と空洞部４とを容易に判別するすなわち見分けることができ、かつ、カセットブロック１の剛性に支障が生じない寸法であり、本発明では１〜５ｍｍの範囲内とする。また、本発明において最も好ましいのは、前述したように１〜２ｍｍの範囲内である。
【００１７】
このような電気接続箱によれば、図３中の網掛け部Ｂに位置する空洞部４の下端５ａがバスバ収容部２及び端子金具収容部３の下端よりも１〜２ｍｍ上面１ａ側に位置しているので、空洞部４とバスバ収容部２及び端子金具収容部３とを容易に判別することができ、バスバ及び端子金具をバスバ収容部２及び端子金具収容部３に挿入する際の作業性を向上させることができる。また、空洞部４の下端５ａがバスバ収容部２及び端子金具収容部３の下端よりも突出していると、バスバ及び端子金具をバスバ収容部２及び端子金具収容部３に挿入し難いが、本電気接続箱においては、空洞部４の下端５ａがバスバ収容部２及び端子金具収容部３の下端よりも上面１ａ側に位置しているので、バスバ及び端子金具の挿入作業性を低下させることがない。
【００１８】
また、上記電気接続箱において、図３中の網掛け部Ｂに位置する空洞部４の下端５ａのみをバスバ収容部２及び端子金具収容部３の下端よりも上面１ａ側に位置させ、図３中の斜線部Ｃに位置する空洞部４の下端をバスバ収容部２及び端子金具収容部３の下端と同じ高さに揃えている理由は、以下の通りである。
【００１９】
すなわち、図３中の網掛け部Ｂに位置する空洞部４の開口部は、隣接する端子金具収容部３の挿入間口と大きさが似ていることから、端子金具を前記空洞部４に挿入してしまうおそれがあるので、これを防止するために、該空洞部４の下端５ａをバスバ収容部２及び端子金具収容部３の下端よりも上面１ａ側に位置させている。
【００２０】
これに対し、図３中の斜線部Ｃに位置する空洞部４の開口部は、隣接する端子金具収容部３の挿入間口よりも一回り小さく、端子金具を該空洞部４に誤って挿入しようとしても挿入不可能な大きさであるので、該空洞部４の下端をバスバ収容部２及び端子金具収容部３の下端と同じ高さに揃えている。また、図３中の斜線部Ｃに位置する空洞部４においては、端子金具を誤挿入するおそれはないが、空洞部４と端子金具収容部３とを判別し易くするために該空洞部４の下端をバスバ収容部２及び端子金具収容部３の下端よりも上面１ａ側に位置させても勿論構わない。
【００２１】
また、上述した実施形態では、カセットブロック１とケース本体とが別体で構成されていたが、本発明においては、カセットブロック１とケース本体とが一体で構成されていても良い。
【００２２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２３】
１  フレーム
１ａ  上面
１ｂ  下面
２  バスバ収容部（部品収容部）
３  端子金具収容部（部品収容部）
４  空洞部
【図１】
2014099977.tif 000003
【図２】
2014099977.tif 000004
【図３】
2014099977.tif 000005
【図４】
2014099977.tif 000006